(57)【要約】【課題】原稿を読み取って得た画像データに対するページ単位の編集を外部装置のページ編集機能を利用して行う場合に、外部装置への画像データの無駄な転送を抑えつつ外部装置への画像データの転送待ちによって編集作業の開始が遅れないようにすることのできる画像処理装置を提供する。【解決手段】制御部１１は、読取部１２で原稿を読み取り、該読み取りで得た画像データを記憶部１１に一時的に保存する一時保存ジョブが実行された際に、該一時保存ジョブの設定でページ単位に編集可能な設定項目の設定が変更されているか否かを判断し、ページ単位に編集可能な設定項目の設定が変更されている場合は、該一時保存ジョブの実行で記憶部１２に保存した画像データを、ページ編集の開始に先立って、外部装置としてのプリントコントローラ２０に送信して画像記憶部２３に記憶させる先行送信処理を行う。【選択図】図１
2018142933.tif 000002
【特許請求の範囲】
【請求項１】
自装置が有する画像記憶部に記憶されている画像データをページ単位に編集するページ編集機能を備えた外部装置が接続される画像処理装置であって、
ジョブの設定を受け付けるジョブ設定部と、
原稿を光学的に読み取る読取部と、
画像データを記憶する記憶部と、
前記外部装置との間で画像データを送受信する通信部と、
編集対象の画像データを前記外部装置に送信して前記画像記憶部に記憶させ、前記画像データに対するページ単位の編集を前記外部装置の前記ページ編集機能を利用して行う編集制御部と、
前記ジョブ設定部で受け付けたジョブの実行を制御するジョブ実行制御部と、
を備え、
前記編集制御部は、前記ジョブ実行制御部の制御で、前記読取部で原稿を読み取り、該読み取りで得た画像データを前記記憶部に一時的に保存する一時保存ジョブが実行された際に、該一時保存ジョブの設定でページ単位に編集可能な設定項目の設定が変更されているか否かを判断し、ページ単位に編集可能な設定項目の設定が変更されている場合は、前記一時保存ジョブの実行で前記記憶部に保存された画像データを前記外部装置に送信して前記画像記憶部に記憶させる先行送信処理を行う
ことを特徴とする画像処理装置。
【請求項２】
前記編集制御部は、ページ単位に編集可能な設定項目の設定が変更されている場合であっても、所定の編集不要条件に合致するページの画像データについては前記先行送信処理を行わない
ことを特徴とする請求項１に記載の画像処理装置。
【請求項３】
前記編集制御部は、前記記憶部に保存した画像データに対してページ単位の編集を行う際に、編集対象のページの画像データが前記画像記憶部に記憶されていない場合は、前記記憶部に記憶されている前記編集対象のページの画像データを前記外部装置に送信して前記画像記憶部に記憶させる
ことを特徴とする請求項１または２に記載の画像処理装置。
【請求項４】
前記編集制御部は、前記先行送信処理によって前記画像記憶部に記憶された画像データは、所定時間の経過後に前記画像記憶部から削除する
ことを特徴とする請求項１乃至３のいずれか１つに記載の画像処理装置。
【請求項５】
前記先行送信処理の中止指示を受け付ける中止指示受付部を有し、
前記編集制御部は、前記中止指示受付部で前記中止指示を受け付けたとき、実行中の前記先行送信処理を中止する
ことを特徴とする請求項１乃至４のいずれか１つに記載の画像処理装置。
【請求項６】
前記外部装置は、印刷データをラスタライズして画像データを生成する機能を備えたプリントコントローラである
ことを特徴とする請求項１乃至５のいずれか１つに記載の画像処理装置。
【発明の詳細な説明】
【技術分野】
【０００１】
本発明は、読取部で原稿を読み取って得た画像データに対してページ単位の編集が可能な画像処理装置に関する。
【背景技術】
【０００２】
複合機などの画像処理装置では、スキャナで原稿を読み取って得た画像データを内部の記憶装置に一時保存し、その一時保存した画像データをプレビュー表示してページ単位の編集を行うことがある（下記特許文献１参照）。ページ単位の編集には、たとえば、画質調整や出力設定（ステイプル、パンチ穴の設定）などがある。
ジョブ単位での編集機能は備えているがページ単位での編集機能を備えていない装置においては、自装置に接続される、ページ単位の編集の機能を備えた外部装置を利用して自装置が扱う画像データに対するページ編集を行うことが考えられる。たとえば、印刷データをラスタライズする機能を備えたプリントコントローラを外部装置として接続する場合に、そのプリントコントローラがページ単位の編集機能を備えていれば、該プリントコントローラを用いて、スキャナで読み取った画像データに対してページ単位の編集機能を実現させることができる。
【先行技術文献】
【特許文献】
【０００３】
【特許文献１】特開２０１０−１３４３３６号公報
【発明の概要】
【発明が解決しようとする課題】
【０００４】
外部のプリントコントローラを利用してページ単位の編集を行う場合、その編集対象のページの画像データを画像処理装置から外部のプリントコントローラへ転送（送信）する必要がある。この転送においては以下の問題がある。
【０００５】
スキャナで原稿を読み取ってその画像データを記憶部に一時保存する一時保存ジョブを実行した後、ユーザからページ単位での編集作業の指示を受けた時にその指示された画像データを外部のプリントコントローラへ送信すると（図６、手法１の場合）、画像データの送信が完了するまでページ単位の編集機能を利用することができず、ユーザは画像データの送信完了まで編集作業の開始を待たされてしまう。
【０００６】
一方、一時保存ジョブを実行するときは、常に、その一時保存した画像データを外部のプリントコントローラへ送信するように制御すると（図６、手法２の場合）、ページ単位の編集機能を利用したいときに、すぐに編集作業を開始できるので、手法１に比べて、編集完了までの時間を短縮することができる。しかし、一時保存ジョブを実行した場合に常にその画像データをプリントコントローラに送信して記憶させると、ページ単位の編集が行われない画像データについてまでプリントコントローラに記憶されるので、プリントコントローラ側のリソース（ＨＤＤなど）を無駄に逼迫させてしまう。
【０００７】
本発明は、上記の問題を解決しようとするものであり、原稿を読み取って得た画像データに対するページ単位の編集を外部装置のページ編集機能を利用して行う場合に、外部装置への画像データの無駄な送信を抑えつつ、外部装置への画像データの送信待ちによって編集作業の開始が遅れないようにすることのできる画像処理装置を提供することを目的としている。
【課題を解決するための手段】
【０００８】
かかる目的を達成するための本発明の要旨とするところは、次の各項の発明に存する。
【０００９】
［１］自装置が有する画像記憶部に記憶されている画像データをページ単位に編集するページ編集機能を備えた外部装置が接続される画像処理装置であって、
ジョブの設定を受け付けるジョブ設定部と、
原稿を光学的に読み取る読取部と、
画像データを記憶する記憶部と、
前記外部装置との間で画像データを送受信する通信部と、
編集対象の画像データを前記外部装置に送信して前記画像記憶部に記憶させ、前記画像データに対するページ単位の編集を前記外部装置の前記ページ編集機能を利用して行う編集制御部と、
前記ジョブ設定部で受け付けたジョブの実行を制御するジョブ実行制御部と、
を備え、
前記編集制御部は、前記ジョブ実行制御部の制御で、前記読取部で原稿を読み取り、該読み取りで得た画像データを前記記憶部に一時的に保存する一時保存ジョブが実行された際に、該一時保存ジョブの設定でページ単位に編集可能な設定項目の設定が変更されているか否かを判断し、ページ単位に編集可能な設定項目の設定が変更されている場合は、前記一時保存ジョブの実行で前記記憶部に保存された画像データを前記外部装置に送信して前記画像記憶部に記憶させる先行送信処理を行う
ことを特徴とする画像処理装置。
【００１０】
上記発明では、一時保存ジョブが実行された際に、該一時保存ジョブの設定でページ単位に編集可能な設定項目の設定が変更されている場合は、一時保存ジョブの実行で記憶部に保存された画像データを外部装置に送信して記憶させる先行送信処理を行う。
【００１１】
［２］前記編集制御部は、ページ単位に編集可能な設定項目の設定が変更されている場合であっても、所定の編集不要条件に合致するページの画像データについては前記先行送信処理を行わない
ことを特徴とする［１］に記載の画像処理装置。
【００１２】
上記発明では、ページ単位に、先行送信処理の要否（編集不要条件に合致するか否か）を判断し、不要なページの送信を抑制する。
【００１３】
［３］前記編集制御部は、前記記憶部に保存した画像データに対してページ単位の編集を行う際に、編集対象のページの画像データが前記画像記憶部に記憶されていない場合は、前記記憶部に記憶されている前記編集対象のページの画像データを前記外部装置に送信して前記画像記憶部に記憶させる
ことを特徴とする［１］または［２］に記載の画像処理装置。
【００１４】
上記発明では、ページ編集を行う際に、先行送信処理によって外部装置の画像記憶部に記憶されていないページの画像データについては、その時点で外部装置に送信する。
【００１５】
［４］前記編集制御部は、前記先行送信処理によって前記画像記憶部に記憶された画像データは、所定時間の経過後に前記画像記憶部から削除する
ことを特徴とする［１］乃至［３］のいずれか１つに記載の画像処理装置。
【００１６】
上記発明では、先行送信処理で外部装置に記憶させた画像データは、ページ編集されない可能性もあるので、所定時間の経過により、自動削除する。
【００１７】
［５］前記先行送信処理の中止指示を受け付ける中止指示受付部を有し、
前記編集制御部は、前記中止指示受付部で前記中止指示を受け付けたとき、実行中の前記先行送信処理を中止する
ことを特徴とする［１］乃至［４］のいずれか１つに記載の画像処理装置。
【００１８】
上記発明では、ユーザは、先行送信処理の実行中に、先行送信処理を中止させることができる。
【００１９】
［６］前記外部装置は、印刷データをラスタライズして画像データを生成する機能を備えたプリントコントローラである
ことを特徴とする［１］乃至［５］のいずれか１つに記載の画像処理装置。
【発明の効果】
【００２０】
本発明に係る画像処理装置によれば、原稿を読み取って得た画像データに対するページ単位の編集を外部装置のページ編集機能を利用して行う場合に、外部装置への画像データの無駄な転送を抑えつつ、外部装置への画像データの送信待ちによって編集作業の開始が遅延することが防止される。
【図面の簡単な説明】
【００２１】
【図１】本発明の実施の形態に係る印刷システムの概略構成を示すブロック図である。
【図２】本発明の実施の形態に係る画像処理装置が一時保存ジョブを実行した際に行う画像データの転送制御処理を示す流れ図である。
【図３】図２のステップ１０４に対応する処理であって、ページ単位に転送するか否かを判断する場合の処理を示す流れ図である。
【図４】画像処理装置が画像データをプリントコントローラへ送信中に画像処理装置の操作パネルに表示される画面の一例を示す図である。
【図５】本発明の実施の形態に係る画像処理装置がプリントコントローラの機能を利用してページ編集作業を行う場合の処理を示す流れ図である。
【図６】手法１と手法２を対比して示す図である。
【発明を実施するための形態】
【００２２】
以下、図面に基づき本発明の実施の形態を説明する。
【００２３】
図１は、本発明の実施の形態に係る画像処理装置１０の一例を示している。画像処理装置１０は、原稿を光学的に読み取ってその複製画像を記録紙に印刷するコピー機能、読み取った原稿の画像データを一時保存したり外部端末へネットワークを通じて送信したりするスキャン機能、ユーザの情報処理端末から受信した印刷データに基づいて印刷する印刷機能などを備えた、所謂、複合機である。
【００２４】
画像処理装置１０には、印刷データの各ページをラスタライズして画像データ（イメージデータ）を生成する外部装置としてのプリントコントローラ２０が接続されている。
【００２５】
画像処理装置１０は、当該画像処理装置１０の動作を統括的に制御する制御部１１を有している。制御部１１はＣＰＵ(Central Processing Unit)を有する。制御部１１には、記憶部１２、読取部１３、印刷部１４、操作パネル１５、ネットワーク通信部１６、メモリ制御部１７などが接続されている。プリントコントローラ２０は、制御部２１、画像記憶部２３等を備えている。
【００２６】
画像処理装置１０の記憶部１２は、ＲＯＭ(Read Only Memory)、ＲＡＭ(Random Access Memory)、不揮発メモリ、ハードディスク装置などで構成される。記憶部１２には、各種のプログラムが格納されており、これらのプログラムに従って制御部１１が処理を実行することで画像処理装置１０としての機能が実現される。記憶部１２は、ワークメモリ、通信バッファ、ファイルや画像データの一時記憶部として使用される。
【００２７】
読取部１３は、原稿を光学的に読み取って画像データを取得する機能を果たす。読取部１３は、たとえば、プラテンガラス上に載置された原稿に光を照射する光源と、その反射光を受けて原稿を幅方向に１ライン分読み取るラインイメージセンサと、光源が光を照射する位置およびラインイメージセンサによるライン単位の読取位置を原稿の長さ方向に順次移動させる移動ユニットと、原稿からの反射光をラインイメージセンサに導いて結像させるレンズやミラーなどからなる光学経路と、ラインイメージセンサの出力するアナログ画像信号をデジタルの画像データに変換する変換部などを備えて構成される。
【００２８】
印刷部１４は、画像データに応じた画像を記録紙上に画像形成する機能を果たす。ここでは、記録紙の搬送装置と、感光体ドラムと、帯電装置と、レーザーユニットと、現像装置と、転写分離装置と、クリーニング装置と、定着装置とを有し、電子写真プロセスによって画像形成を行う、所謂、レーザープリンタとして構成されている。画像形成は他の方式でもかまわない。
【００２９】
操作パネル１５は、表示部と、操作部を備えたユーザインターフェイス装置である。表示部は、液晶ディスプレイ（ＬＣＤ…Liquid Crystal Display）などで構成され、各種の操作画面、設定画面などを表示する機能を果たす。操作部は、テンキーやスタートボタンなどのハードキーと、表示部の物理的画面上に設けられたタッチパネルなどで構成される。タッチパネルはタッチペンや指などで接触操作された座標位置を検出する。操作パネル１５は、ジョブの設定を受け付けるジョブ設定部としての機能を果たす。
【００３０】
ネットワーク通信部１６は、ＬＡＮ（Local Area Network）などのネットワークを通じてユーザや管理者の情報処理端末、その他の外部装置との間で通信する機能を果たす。
【００３１】
メモリ制御部１７は、制御部１１からの指示に従って、記憶部１２への画像データの書込み、記憶部１２からの画像データの読み出しを制御する。またメモリ制御部１７は、画像処理装置１０とプリントコントローラ２０との間で画像データを送受信（転送）する通信部としての機能を果たす。たとえば、メモリ制御部１７は、原稿の読み取り中に読取部１３から次々と出力される画像データを順次、記憶部１２に格納して保存する。また、記憶部１２に格納されている画像データを印刷部１４で印刷する場合に、記憶部１２に格納されている画像データを、印刷部１４による印刷動作のタイミングを合わせて順次読み出して印刷部１４に出力する。また、記憶部１２に一時保存されている画像データをプリントコントローラ２０の画像記憶部２３に送信して記憶させたり、画像記憶部２３に格納されている画像データを読み出して画像処理装置１０の記憶部１２に転送したりする通信部としての機能を果たす。
【００３２】
プリントコントローラ２０の制御部２１は、ＣＰＵ，ＲＡＭ、ＲＯＭ、不揮発メモリなどを主要部として構成され、ＲＯＭ等に格納されたプログラムに従って動作することでプリントコントローラ２０の各種機能を実現する。画像記憶部２３は、ハードディスク装置等の不揮発記憶装置であり、印刷データやこれをラスタライズして得たイメージデータ、画像処理装置１０から送信されてきた画像データの記憶などに使用される。プリントコントローラ２０は、印刷データをイメージデータに展開するラスタライズ機能、および、画像データをページ単位に編集するページ編集機能を備えている。
【００３３】
なお、画像処理装置１０の制御部１１は、操作パネル１５等で受け付けたジョブの実行を制御するジョブ実行制御部としての機能、および、編集対象の画像データをプリントコントローラ２０の画像記憶部２３に送信して記憶させ、該編集対象の画像データに対するページ単位の編集をプリントコントローラ２０のページ編集機能を利用して行う編集制御部としての機能を果たす。
【００３４】
図２は、画像処理装置１０が一時保存ジョブを実行する際の動作の概略を示す流れ図である。一時保存ジョブは、読取部１３で原稿を光学的に読み取り、その読み取りで得た画像データを記憶部１２に記憶（一時的に保存）するジョブである。一時保存ジョブで保存された画像データは、後に、編集操作を受けたり、出力ジョブの対象にされて印刷部１４で印刷出力されたり、外部へ出力されたりする。
【００３５】
画像処理装置１０は、操作パネル１５においてユーザから一時保存ジョブに関する各種の設定を受け付けて、一時保存ジョブの投入操作を受けと（ステップＳ１０１）、該設定に従って、一時保存ジョブを実行する。すなわち、ジョブの設定に従って読取部１３で原稿を光学的に読み取り、その読み取りで得た画像データを記憶部１２に記憶（一時的に保存）する（ステップＳ１０２）。
【００３６】
その後、該一時保存ジョブの設定において、ページ編集（ページ単位の編集）可能な項目に関する設定が変更（設定値がデフォルト値から変更）されているか否かを判断する（ステップＳ１０３）。ページ編集可能な項目には、たとえば、画質調整や出力設定（ステイプル、パンチなど）などがある。
【００３７】
ジョブの設定で、ページ編集可能な項目に関する設定が変更されていなければ（ステップＳ１０３;Ｎｏ）、本処理を終了する。ジョブの設定で、ページ編集可能な項目に関する設定が変更されている場合は（ステップＳ１０３;Ｙｅｓ）、ページ単位の編集が行われる可能性が高いと推定し、ステップ１０２の一時保存ジョブで得た画像データを、プリントコントローラ２０に送信して、プリントコントローラ２０の画像記憶部２３に記憶させる先行送信処理を実行して（ステップＳ１０４）、本処理を終了する。なお、記憶部１２に記憶されている画像データのうち先行送信処理によりプリントコントローラ２０に送信した画像データには、送信済みであることを示す情報を付加する。
【００３８】
プリントコントローラ２０へ画像データを送信する先行送信処理は、一時保存ジョブの実行後に限らず、一時保存ジョブの実行中にこれと並行に実行してもよい。たとえば、ステップ１０２の一時保存ジョブの実行開始時にステップ１０３の判断を行い、ページ編集可能な項目に関する設定が変更されている場合は、一時保存ジョブの実行と並行して、先行送信処理（ステップ１０４の画像データの送信）を実行する。より詳細には、メモリ制御部１７は、読取部１３から出力される画像データを記憶部１２に記憶させると同時にプリントコントローラ２０の画像記憶部２３に送信する、あるいは読取部１３から出力される画像データを記憶部１２に記憶しつつ、記憶の完了したページの画像データを記憶部１２から読み出してプリントコントローラ２０の画像記憶部２３に送信する。
【００３９】
このように、一時保存ジョブの設定においてページ編集可能な設定項目に関する設定が変更されている場合には、該一時保存ジョブで読み取って得た画像データに対してページ単位の編集が後に行われる可能性が高いと推定して、該一時保存ジョブの実行に付随して、該一時保存ジョブで読み取って得た画像データをプリントコントローラ２０に送信して画像記憶部２３に記憶させる先行送信処理を行う。これにより、一時保存ジョブの実行後に、該ジョブで読み取って得た画像データに対してユーザがページ編集の開始を指示したときは、既に、編集対象の画像データがプリントコントローラ２０の画像記憶部２３に記憶されているので、プリントコントローラ２０のページ編集機能を利用したページ編集を直ちに開始することができる。
【００４０】
一方、一時保存ジョブの設定でページ編集可能な設定項目に関する設定が変更されていない場合には、該一時保存ジョブで読み取って得た画像データに対してページ編集が行われる可能性は低いと推定し、該一時保存ジョブで読み取って得た画像データをプリントコントローラ２０に送信しない（先行送信処理を行わない）ので、プリントコントローラ２０の画像記憶部２３の記憶領域を無駄に使用することが防止される。
【００４１】
ステップ１０４の先行送信処理では、一時保存ジョブで読み取ったすべてのページの画像データをプリントコントローラ２０に送信して画像記憶部２３に記憶させるようにしたが、送信するか否かをさらに別の条件（編集不要条件に合致するか否か）でページ単位に判断するようにしてもよい。
【００４２】
図３は、図２のステップ１０４に対応する処理であって、画像データをプリントコントローラ２０に送信するか否かをさらにページ単位に判断する場合の先行送信処理を示している。
【００４３】
一時保存ジョブで読み取って得たページの先頭ページから順に一のページを着目ページとする。画像処理装置１０の制御部１１は、着目ページについて、所定の編集不要条件に合致するか否かを判断する（ステップＳ２０１）。編集不要条件に合致するか否かは用紙種類や着目ページの色情報等から判断する。たとえば、読み取った原稿が、モノクロのページとカラーのページが混在する原稿の場合、カラーのページはページ編集の可能性あり（編集不要条件に合致しない）と判断し、モノクロのページはページ編集の可能性が低い（編集不要条件に合致する）と判断する。
【００４４】
着目ページはページ編集の可能性が高い（編集不要条件に合致しない）と判断した場合は（ステップＳ２０２;Ｎｏ）、着目ページの画像データをプリントコントローラ２０へ送信して（ステップＳ２０３）、ステップ２０４へ移行する。着目ページはページ編集の可能性が低い（編集不要条件に合致する）と判断した場合は（ステップＳ２０２;Ｙｅｓ）、着目ページの画像データをプリントコントローラ２０へ送信せずに、ステップ２０４に移行する。
【００４５】
ステップ２０４では、最終ページまで処理が完了したか否かを調べ、最終ページまで処理が完了していなければ（ステップＳ２０４;Ｎｏ）、次のページを着目ページとしてステップ２０１に戻って処理を継続する。最終ページまで処理が完了した場合は（ステップＳ２０４;Ｙｅｓ）、本処理を終了する。
【００４６】
なお、画像処理装置１０からプリントコントローラ２０へ画像データを送信しているとき、画像処理装置１０の操作パネル１５には、図４に示すような送信中画面４０が表示される。送信中画面４０には、送信（先行送信処理）の中止指示を受け付ける中止指示受付部としての送信中止釦４１が表示されている。ユーザが送信中画面４０に表示された送信中止釦４１（中止指示受付部）を押下すると、画像処理装置１０は、プリントコントローラ２０への画像データの送信（先行送信処理）を中止する。
【００４７】
図５は、ユーザからページ編集の指示を受けた場合に画像処理装置１０が行う処理を示す流れ図である。画像処理装置１０は、ページ編集を開始する指示および編集対象の一時保存ジョブの選択を受ける（ステップＳ３０１）。選択された一時保存ジョブで記憶部１２に保存した画像データが編集対象の画像データとなる。
【００４８】
画像処理装置１０は、選択された一時保存ジョブで記憶部１２に保存した画像データがプリントコントローラ２０に送信済みか否かを判断する（ステップＳ３０２）。送信済みならば（ステップＳ３０２;Ｙｅｓ）、プリントコントローラ２０の画像記憶部２３に既に記憶されている画像データに対して、プリントコントローラ２０のページ編集機能を利用したページ編集を開始する（ステップＳ３０４）。
【００４９】
ステップ３０１で選択された一時保存ジョブで記憶部１２に保存した画像データがプリントコントローラ２０に送信済みでなければ（ステップＳ３０２;Ｎｏ）、ステップ３０１で選択された一時保存ジョブの画像データを記憶部１２から読み出してプリントコントローラ２０に送信して画像記憶部２３に記憶させる（ステップＳ３０３）。該処理の完了後、画像処理装置１０は、プリントコントローラ２０のページ編集機能を利用してページ編集を開始する（ステップＳ３０４）。
【００５０】
プリントコントローラ２０は、画像記憶部２３に記憶されている画像データに対してページ単位の編集（たとえば、画質の調整）を実施し、画像処理装置１０は、その編集結果の画像をプレビュー表示する。
【００５１】
なお、プリントコントローラ２０によってページ編集されたページの画像データを外部や印刷部１４に出力する場合は、プリントコントローラ２０の画像記憶部２３から画像データを読み出して出力してもよいし、一旦、画像記憶部２３から記憶部１２に転送し、記憶部１２から出力してもよい。
【００５２】
画像処理装置１０は、先行送信処理でプリントコントローラ２０へ送信して画像記憶部２３に記憶させた画像データが、送信後、所定時間が経過しても、ページ編集されない場合は、プリントコントローラ２０の画像記憶部２３から削除する。なお、画像記憶部２３から削除しても、画像処理装置１０の記憶部１２には元の画像データが保存されているので、この画像データに対してページ編集の指示を後に受けた場合は、記憶部１２から該画像データを読み出してプリントコントローラ２０に送信すればよい。
【００５３】
ページ編集が完了し、該編集後の画像データの出力が完了したときは、削除に関する設定に応じて、画像記憶部２３に記憶されている編集後の画像データと記憶部１２に一時保存されている元の画像データの両方を削除する、あるいはいずれか一方を削除する、あるいは両方とも削除しない、のいずれかを実行する。
【００５４】
以上、本発明の実施の形態を図面によって説明してきたが、具体的な構成は実施の形態に示したものに限られるものではなく、本発明の要旨を逸脱しない範囲における変更や追加があっても本発明に含まれる。
【００５５】
実施の形態では、画像処理装置１０に接続される、ページ編集機能を備えた外部装置をプリントコントローラ２０としたが、プリントコントローラ２０に限定されるものではなく、他の外部装置であってもよい。また、ページ編集専用の外部装置であってもよい。
【００５６】
画像処理装置１０と外部装置（プリントコントローラ２０）との間の画像データの受け渡し方法は、実施の形態に示したようなメモリ制御部１７を経由したものに限定されず、任意でよい。
【００５７】
一時保存ジョブの設定において、ページ単位に編集可能な設定項目は実施の形態に例示したものに限定されない。また、図３のステップ２０１で、ページ単位にページ編集の可能性の高さを判断する条件（編集不要条件）は、色情報に限定されない。たとえば、一時保存ジョブの設定で濃度が変更されている場合に、画像の濃度値（たとえば、平均濃度値）が適正範囲にないようなページ（適正範囲より暗い画像、あるいは、明るい画像など）は、ページ編集の可能性が高い（編集不要条件に合致しない）と判断し、画像の濃度値が適正範囲のページは編集の可能性が低い（編集不要条件に合致する）と判断する、などでもよい。すなわち、ジョブの設定で変更されたページ単位に編集可能な設定項目とその設定項目に係る各ページの画像の状態との関係から、各ページに対するページ編集の可能性の高低（編集不要条件に合致するか否か）を判断するようにしてもよい。
【符号の説明】
【００５８】
１０…画像処理装置
１１…制御部
１２…記憶部
１３…読取部
１４…印刷部
１５…操作パネル
１６…ネットワーク通信部
１７…メモリ制御部
２０…プリントコントローラ
２１…制御部
２３…画像記憶部
４０…送信中画面
４１…送信中止釦
【図１】
2018142933.tif 000003
【図２】
2018142933.tif 000004
【図３】
2018142933.tif 000005
【図４】
2018142933.tif 000006
【図５】
2018142933.tif 000007
【図６】
2018142933.tif 000008